(57)【要約】【課題】  ドラマ等の記録中（録画中）に新しいＣＭのみを本編とは別に記録することで、後でそのＣＭのみを再生可能とする。また、記録した新しいＣＭをスクリーンセーバとして使用可能とする。【解決手段】  リモコン等の入力部１８により、広告情報の種類として人物が指定されている場合、コントローラ１４は、画像認識部２３によって認識された画像情報とハードディスクに記憶されている画像情報とを比較することによって人物画像が一致するか否かを判定し、人物画像が一致すると判定した場合には、受信した放送番組中の広告情報とハードディスクに記録済みの広告情報とを音声データによって比較し、その比較の結果、今回受信した広告情報がハードディスクに記録されていない新しい広告情報である場合には、今回受信した広告情報を、リモコン等の入力部１８により指定された人物が含まれる広告情報とひとまとめにしてハードディスクに記録する。【選択図】  図１
2007081899.tif 000002
【特許請求の範囲】
【請求項１】
放送番組中の広告情報を記録媒体に記録する記録制御手段と、前記記録媒体に記録した広告情報を再生する再生制御手段とを備えた広告情報処理装置において、
受信した広告情報に含まれる人物の画像を認識する画像認識手段と、
前記記録媒体に記録済みの全広告情報に含まれる人物の画像情報を、当該広告情報に関連付けて記憶している画像情報記憶手段と
前記記録媒体に記録する広告情報の種類を指定する記録指定手段と、
再生する広告情報の種類を指定する再生指定手段と、
前記記録指定手段により広告情報の種類として人物が指定されている場合には、前記画像認識手段によって認識された前記画像情報と前記画像情報記憶手段に記憶されている画像情報とを比較することによって人物画像が一致するか否かを判定する判定手段と、
前記判定手段により人物画像が一致すると判定された場合に、受信した放送番組中の広告情報と前記記録媒体に記録済みの広告情報とを音声データによって比較する広告情報比較手段とを備えており、
前記記録制御手段は、前記広告情報比較手段での比較の結果、今回受信した広告情報が前記記録媒体に記録されていない新しい広告情報である場合には、今回受信した広告情報を、前記記録指定手段により指定された人物が含まれる広告情報とひとまとめにして前記記録媒体に記録する一方、
広告情報の再生時、前記再生制御手段は、前記再生指定手段により再生する広告情報に含まれる人物が指定された場合には、その指定された人物を含む広告情報のみを順次再生することを特徴とする広告情報処理装置。
【請求項２】
放送番組中の広告情報を記録媒体に記録する広告情報処理装置において、
受信した放送番組中の広告情報と前記記録媒体に記録済みの広告情報とを比較する広告情報比較手段と、
前記広告情報比較手段での比較の結果、今回受信した広告情報が前記記録媒体に記録されていない新しい広告情報である場合には、今回受信した広告情報を前記記録媒体に記録する記録制御手段とを備えたことを特徴とする広告情報処理装置。
【請求項３】
前記広告情報比較手段は、前記広告情報に含まれている音声データを比較することを特徴とする請求項２に記載の広告情報処理装置。
【請求項４】
前記記録媒体に記録する広告情報の種類を指定する記録指定手段と、
前記記録指定手段により種類が指定されている場合には、受信した放送番組中の広告情報が前記指定された種類に属するか否かを判定する判定手段とをさらに備えており、
前記広告情報比較手段は、前記判定手段により受信した広告情報が指定された種類に属すると判定された場合に、その受信した広告情報と前記記録媒体に記録済みの広告情報との比較を行い、
前記記録制御手段は、前記記録指定手段により指定された種類の広告情報をひとまとめにして前記記録媒体に記録することを特徴とする請求項２または請求項３に記載の広告情報処理装置。
【請求項５】
受信した広告情報に含まれる人物の画像を認識する画像認識手段と、
前記記録媒体に記録済みの全広告情報に含まれる人物の画像情報を、当該広告情報に関連付けて記憶している画像情報記憶手段とをさらに備えており、
前記種類の指定が広告情報に含まれる人物の指定である場合には、前記判定手段は、前記画像認識手段によって認識された前記画像情報と前記画像情報記憶手段に記憶されている画像情報とを比較することによって人物画像が一致するか否かを判定することを特徴とする請求項４に記載の広告情報処理装置。
【請求項６】
受信した広告情報に含まれる曲情報を認識する音声認識手段と、
前記音声認識手段により認識した曲情報に基づいてネットワーク上のサイトから当該曲情報に関連するアーティストの情報を取得する取得手段とをさらに備えており、
前記種類の指定が広告情報に含まれる曲によるアーティストの指定である場合には、前記判定手段は、前記取得手段により取得された前記アーティスト情報が前記記録媒体に記録済みの広告情報に含まれるアーティスト情報と一致するか否かを判定することを特徴とする請求項４に記載の広告情報処理装置。
【請求項７】
受信した広告情報に含まれる曲のアーティスト情報を前記放送番組の放送信号に含まれているＥＰＧ情報から取得する取得手段を備えており、
前記種類の指定が広告情報に含まれる曲によるアーティストの指定である場合には、前記判定手段は、前記取得手段により取得された前記アーティスト情報が前記記録媒体に記録済みの広告情報に含まれるアーティスト情報と一致するか否かを判定することを特徴とする請求項４に記載の広告情報処理装置。
【請求項８】
受信した広告情報に含まれる広告対象物の情報を前記放送番組の放送信号に含まれているＥＰＧ情報から取得する取得手段を備えており、
前記種類の指定が広告情報に含まれる広告対象物の指定である場合には、前記判定手段は、前記取得手段により取得された前記広告対象物の情報が前記記録媒体に記録済みの広告情報に含まれる広告対象物と一致するか否かを判定することを特徴とする請求項４に記載の広告情報処理装置。
【請求項９】
前記記録媒体に記録されている広告情報を再生する再生制御手段と、
再生する広告情報の種類を指定する再生指定手段とをさらに備えており、
広告情報の再生時、前記再生制御手段は、前記再生指定手段により再生する広告情報の種類が指定された場合には、その指定された種類の広告情報のみを順次再生することを特徴とする請求項２ないし請求項８のいずれかに記載の広告情報処理装置。
【請求項１０】
前記種類の指定が、広告情報に含まれる人物の指定、広告情報に含まれる曲によるアーティストの指定、または広告情報に含まれる広告対象物の指定のいずれかであることを特徴とする請求項９に記載の広告情報処理装置。
【請求項１１】
前記再生制御手段は、前記記録媒体に記録されている広告情報をスクリーンセーバとして再生することを特徴とする請求項９に記載の広告情報処理装置。
【発明の詳細な説明】
【技術分野】
【０００１】
本発明は、本編と広告情報（コマーシャル：ＣＭ）からなる放送番組の映像信号及び音声信号をデジタル化して記録媒体に記録するとともに、記録した映像信号及び音声信号を再生して出力する情報記処理装置に係り、より詳細には、放送番組中の広告情報を本編とは別にまとめて記録媒体に記録する広告情報処理装置に関する。
【背景技術】
【０００２】
従来から、本編とＣＭからなる放送番組の映像信号及び音声信号をデジタル化して記録媒体に記録し再生する際に、本編部分をＣＭカットの状態でシームレスに再生することが可能な記録再生装置が提案されている（例えば、特許文献１，２参照）。
【０００３】
これらの記録再生装置は、２ヶ国語部分の本編とステレオ部分のＣＭとを区別し、例えば本編部分は記録エリア１に連続的に記録し、ＣＭ部分は記録エリア２に連続的に記録するというように、メモリ内の記録エリアを区分して使用している。
【０００４】
これにより、従来の記録再生装置では、再生時にはＣＭをカットして本編部分のみを連続再生することができるとともに、逆に、本編部分をカットした状態でＣＭの検証などを行うことが可能となっている。また、従来の記録再生装置では、ＣＭ部分のみを消去した場合、それによって得られる空きエリアが連続的になり、なおかつ本編部分も連続性を保っているので、記録領域の断片化が発生せず、記録効率を向上させることが可能となっている。
【特許文献１】特開２００２−１４２１９６号公報
【特許文献２】特開２０００−１１５４５号公報
【発明の開示】
【発明が解決しようとする課題】
【０００５】
上記従来の記録再生装置によれば、本編とＣＭとを区別して記録することで、ＣＭ部分をカットした本編部分の連続再生を可能としている。すなわち、ＣＭ部分については、これをカットすることしか考慮されておらず、ＣＭ部分を積極的に使用することは全く考慮されていない。なお、上記特許文献１では、本編部分をカットした状態でＣＭの検証などを行うことが可能であるとの記述はあるものの、どうようにして検証するのかについては何も提案されていない。また、ＣＭの検証に関しても、上記特許文献１，２の記録再生装置では、本編の間に挿入されているＣＭを単純に時間順に全て記録しているため、同じＣＭが重複して記録されることになる。このことは、ＣＭを検証する際に、同じＣＭが何度も再生されて煩わしい場合があり、検証に時間がかかるといった問題が発生する可能性がある。また、メモリの無駄な使用にもつながり、メモリの使用効率を低下させる原因ともなっている。
【０００６】
ところで、最近のＣＭは、ドラマ仕立てになっていたりするユニークなもの、印象的なもの、情報を多く含んだもの等が数多くあり、後でもう一度見たいと思うものもある。
【０００７】
この場合、上記特許文献１，２のように、本編部分とＣＭ部分とを区別して連続的に記録しておけば、ＣＭ部分のみを連続再生することで、見たいＣＭを比較的はやく捜し出すことは可能であるが、記録されているＣＭ量が多い場合には、やはり捜し出すまでに時間がかかるといった問題があった。
【０００８】
また、例えばＣＭがドラマ仕立てになっていて、何話かに分かれているような場合には、これをストーリーに沿って連続再生したいという要望もあるが、上記従来技術のように、ただ単にＣＭ部分を時間順に連続記録しただけでは、再生時にいわゆる飛び越し再生を行って所望のＣＭを見つけながら再生するしかなく、その操作と手間が煩雑であるといった問題もあった。この他にも、ユーザの好みの人物が登場しているＣＭのみを連続再生したいとか、ユーザの好みのアーティストが歌っている曲が含まれるＣＭのみを連続再生したいなど、最近のＣＭの注目度は高まっている。
【０００９】
本発明はかかる問題点を解決すべく創案されたもので、第１の目的は、ドラマ等の記録中（録画中）に新しいＣＭが流れた場合に、そのＣＭを別に保存し、後でそのＣＭだけをチェックできるようにした広告情報処理装置を提供することにあり、第２の目的は、ＣＭの保存に際し、その中身を判定して種類別に分けて保存することで、ユーザが所望するＣＭのみを連続再生することのできる広告情報処理装置を提供することにある。
【課題を解決するための手段】
【００１０】
上記課題を解決するため、本発明の広告情報処理装置は、放送番組中の広告情報を記録媒体に記録する広告情報処理装置において、受信した放送番組中の広告情報と前記記録媒体に記録済みの広告情報とを比較する広告情報比較手段と、前記広告情報比較手段での比較の結果、今回受信した広告情報が前記記録媒体に記録されていない新しい広告情報である場合には、今回受信した広告情報を前記記録媒体に記録する記録制御手段とを備えたことを特徴とする。ここで、前記広告情報比較手段は、前記広告情報に含まれている音声データを比較する。
【００１１】
このような特徴を有する本発明によれば、記録媒体には、過去に記録されていない新しいＣＭのみが順次記録されることになり、同じＣＭが何度も重複して記録されるといった不具合を解消することができる。
【００１２】
また、本発明の広告情報処理装置によれば、前記記録媒体に記録する広告情報の種類を指定する記録指定手段と、前記記録指定手段により種類が指定されている場合には、受信した放送番組中の広告情報が前記指定された種類に属するか否かを判定する判定手段とをさらに備えており、前記広告情報比較手段は、前記判定手段により受信した広告情報が指定された種類に属すると判定された場合に、その受信した広告情報と前記記録媒体に記録済みの広告情報との比較を行い、前記記録制御手段は、前記記録指定手段により指定された種類の広告情報をひとまとめにして前記記録媒体に記録することを特徴とする。このような特徴を有する本発明によれば、記録媒体には、指定された種類の広告情報がひとまとめにして記録されるので、これを再生するときに、簡単な操作で、このひとまとめの広告情報のみを連続再生することが可能となる。
【００１３】
より具体的に説明すると、本発明の広告情報処理装置は、受信した広告情報に含まれる人物の画像を認識する画像認識手段と、前記記録媒体に記録済みの全広告情報に含まれる人物の画像情報を、当該広告情報に関連付けて記憶している画像情報記憶手段とをさらに備えており、前記種類の指定が広告情報に含まれる人物の指定である場合には、前記判定手段は、前記画像認識手段によって認識された前記画像情報と前記画像情報記憶手段に記憶されている画像情報とを比較することによって人物画像が一致するか否かを判定することを特徴とする。このような特徴を有する本発明によれば、指定された人物が登場する広告情報のみをひとまとめにして記録することができるので、これを再生するときには、簡単な操作で、指定された人物の登場する広告情報のみを連続再生することが可能となる。
【００１４】
また、本発明の広告情報処理装置は、受信した広告情報に含まれる曲情報を認識する音声認識手段と、前記音声認識手段により認識した曲情報に基づいてネットワーク上のサイトから当該曲情報に関連するアーティストの情報を取得する取得手段とをさらに備えており、前記種類の指定が広告情報に含まれる曲によるアーティストの指定である場合には、前記判定手段は、前記取得手段により取得された前記アーティスト情報が前記記録媒体に記録済みの広告情報に含まれるアーティスト情報と一致するか否かを判定することを特徴とする。このような特徴を有する本発明によれば、指定されたアーティストの歌う曲が含まれている広告情報のみをひとまとめにして記録することができるので、これを再生するときには、簡単な操作で、指定されたアーティストが歌う曲が含まれている広告情報のみを連続再生することが可能となる。
【００１５】
また、本発明の広告情報処理装置は、受信した広告情報に含まれる曲のアーティスト情報を前記放送番組の放送信号に含まれているＥＰＧ（電子番組ガイド：ＥｌｅｃｔｒｉｃＰｒｏｇｒａｍ Ｇｕｉｄｅ）情報から取得する取得手段を備えており、前記種類の指定が広告情報に含まれる曲によるアーティストの指定である場合には、前記判定手段は、前記取得手段により取得された前記アーティスト情報が前記記録媒体に記録済みの広告情報に含まれるアーティスト情報と一致するか否かを判定することを特徴とする。このような特徴を有する本発明によれば、指定されたアーティストの歌う曲が含まれている広告情報のみをひとまとめにして記録することができるので、これを再生するときには、簡単な操作で、指定されたアーティストが歌う曲が含まれている広告情報のみを連続再生することが可能となる。この場合、本発明によれば、ネットワークに接続するための通信手段が不要であるので、装置の構成をより簡単化することが可能である。
【００１６】
また、本発明の広告情報処理装置は、受信した広告情報に含まれる広告対象物の情報を前記放送番組の放送信号に含まれているＥＰＧ情報から取得する取得手段を備えており、前記種類の指定が広告情報に含まれる広告対象物の指定である場合には、前記判定手段は、前記取得手段により取得された前記広告対象物の情報が前記記録媒体に記録済みの広告情報に含まれる広告対象物と一致するか否かを判定することを特徴とする。このような特徴を有する本発明によれば、指定された広告対象物（例えば、××社の車等）の含まれている広告情報のみをひとまとめにして記録することができるので、これを再生するときには、簡単な操作で、指定された広告対象物が含まれている広告情報のみを連続再生することが可能となる。
【００１７】
また、再生に関しては、本発明の広告情報処理装置は、前記記録媒体に記録されている広告情報を再生する再生制御手段と、再生する広告情報の種類を指定する再生指定手段とをさらに備えている。従って、上記したように、広告情報の再生時、前記再生制御手段は、前記再生指定手段により再生する広告情報の種類が指定された場合には、その指定された種類の広告情報のみを順次再生するようになっている。ここで、前記種類の指定は、上記したように、広告情報に含まれる人物の指定、広告情報に含まれる曲によるアーティストの指定、広告情報に含まれる広告対象物の指定のいずれかである。
【００１８】
さらに、前記再生制御手段は、前記記録媒体に記録されている広告情報をスクリーンセーバとして再生するようにしてもよい。具体的には、例えば受信チャンネルに放送信号のない無信号時には、数分後に電源が自動的にオフされる機能を有するテレビ装置等があるが、この電源がオフされるまでの数分間の間、記録媒体に記録した広告情報をスクリーンセーバのようにして再生することが可能である。
【発明の効果】
【００１９】
本発明によれば、記録媒体には、過去に記録されていない新しいＣＭのみが順次記録されることになり、同じＣＭが何度も重複して記録されるといった不具合を解消することができる。これにより、無駄なＣＭの記録が無くなるので、メモリ容量を有効に活用することができるとともに、連続再生を行った場合でも、同じＣＭが何度も再生されることがないので、ユーザにとっても視聴していて楽しいものとなる。
【００２０】
また、本発明によれば、記録媒体には、指定された種類の広告情報をひとまとめにして記録することができるので、これを再生するときに、簡単な操作で、このひとまとめの広告情報のみを連続再生することができる。具体的には、指定された人物が登場する広告情報のみをひとまとめにして記録することができるので、この人物の登場する広告情報のみを連続再生することができる。または、指定されたアーティストの歌う曲が含まれている広告情報のみをひとまとめにして記録することができるので、このアーティストが歌う曲が含まれている広告情報のみを連続再生することができる。または、指定された広告対象物の含まれている広告情報のみをひとまとめにして記録することができるので、これを再生するときには、この広告情報のみを連続再生することが可能となる。ずなわち、ユーザにとっては、好きなタレントの出ている広告情報や、好きなアーティストの歌っている曲が含まれている広告情報や、好きな広告対象物が含まれている広告情報をひとまとめにして連続再生できるので、ユーザに対して嗜好にあったＣＭの連続再生を提供することができる。
【００２１】
また、本発明によれば、記録媒体に記録されている広告情報をスクリーンセーバとして再生することで、モニタ画面の焼き付き等を防止することが可能となる。
【発明を実施するための最良の形態】
【００２２】
以下、本発明の実施の形態について、図面を参照して説明する。
【００２３】
図１は、本発明の広告情報処理装置の一実施形態を示すＨＤ（ハードディスク）レコーダ１の電気的構成を示すブロック図である。ただし、本発明の広告情報処理装置は、このようなＨＤレコーダに限定されるものではなく、例えばＨＤＤ内蔵のＤＶＤレコーダ等を含む一般のデジタル映像機器や光ディスク装置等に適用可能である。
【００２４】
図１に示すＨＤレコーダ１は、受信部１１、入力制御部１２、Ａ／Ｄ変換部１３、コントローラ１４、ＨＤドライブ１５、Ｄ／Ａ変換部１６、出力制御部１７、入力部１８、インターフェース部１９、メモリ部２０、モード検出部２１、ＥＰＧ取得部２２、画像認識部２３、及び音声認識部２４等を備えて構成される。
【００２５】
入力部１８は、スイッチ、ボタン或いはリモコン等から構成され、ユーザの操作内容に応じた信号をコントローラ１４へ出力するものである。これにより、ユーザは、種々のデータをＨＤレコーダ１に入力することができ、ＨＤレコーダ１を操作して使用することができる。
【００２６】
インターフェース部１９は、例えばインターネット等のＨＤレコーダ１外部の構成要素とコントローラ１４とを接続するための構成要素であり、ＨＤレコーダ１外部の構成要素から取得されたデータをコントローラ１４に入力する。
【００２７】
受信部１１は、チューナや分離器を備えて構成される。受信部１１は、アンテナ６を介して番組の放送信号を受信し、この放送信号を入力制御部１２へ送信する。放送信号はアナログ信号又はデジタル信号であり、音声信号と映像信号とを含んで構成されている。
【００２８】
入力制御部１２は、受信部１１で受信された放送信号から音声信号と映像信号を抽出する。Ａ／Ｄ変換部１３は、上記放送信号がアナログ信号である場合には入力制御部１２で抽出された映像信号及び音声信号をＭＰＥＧ２（Ｍｏｔｉｏｎ  ＰｉｃｔｕｒｅＥｘｐｅｒｔ  Ｇｒｏｕｐ  ２）によりエンコード（圧縮）してコントローラ２４に出力する。一方、上記放送信号がデジタル信号である場合には、映像信号及び音声信号は既にＭＰＥＧ２でエンコードされているので、これら映像信号及び音声信号をそのままコントローラ１４に送信する。
【００２９】
コントローラ１４は、ＣＰＵ１４ａ、ＲＡＭ１４ｂ、ＲＯＭ１４ｃを備えて構成されている。コントローラ１４は読み取り手段、認識手段、書込み手段を兼ねた構成要素であり、図示しないハードディスクに対する音声信号及び映像信号の読み取り、書き込みや、番組の本編やＣＭの認識を行なったり、ＨＤレコーダ１の各構成要素を制御したりする。
【００３０】
ＲＯＭ１４ｃには、ＨＤレコーダ１全体を制御するためのプログラムが格納されている。ＣＰＵ１４ａはＲＯＭ１４ｃに格納されたプログラムや入力部１８からの信号に従い、ＨＤレコーダ１の各構成要素を制御するための演算を行なう。ＲＡＭ１４ｂはＣＰＵ１４ａが演算を行うための作業領域として作動する。
【００３１】
ＨＤドライブ１５はコントローラ１４とともに読み取り手段及び書き込み手段を形成する構成要素であり、記憶媒体であるハードディスクと、ハードディスクに記録されている情報の読み取り、書き込みを行うためのヘッドとを備えて構成されている。
【００３２】
Ｄ／Ａ変換部１６は、ハードディスクに記憶された映像信号及び音声信号を再生する際、コントローラ１４を介してこれらの信号をデコード（伸張）し、アナログ信号に変換して出力制御部１７に出力する。さらに出力制御部１７は、Ｄ／Ａ変換部１６で変換された映像信号及び音声信号をテレビモニタや受像管（ＣＲＴ）やスピーカといった図示しない出力装置へ出力する。
【００３３】
モード検出部２１は、受信部１１で受信され入力制御部１２で抽出された放送信号のモード（放送モード）を検出する。具体的には、音声モードがステレオモードであるのかモノラルモードであるのか（すなわち、音声信号がステレオ信号であるのかモノラル信号であるのか）を検出する。
【００３４】
メモリ部２０は、コントローラ１４での書き込み処理時や読み取り処理時に映像信号（映像データ）を一旦格納するバッファである。
【００３５】
ＥＰＧ取得部２２は、放送信号に重畳されている文字信号を抽出し、この文字信号を収集してＥＰＧを取得する。
【００３６】
画像認識部２３は、受信した広告情報に含まれる人物の画像を認識する。具体的には、任意の広告情報に含まれる人物を特定すると、その人物の身体的特徴（例えば、顔の特徴等）を取得して図示しない内部メモリに保存する。そして、その後に受信される広告情報に含まれる人物の画像から身体的特徴を抽出し、この抽出した身体的特徴と内部メモリに保存した身体的特徴との一致、不一致を判別することにより、人物を特定する。なお、このような画像認識技術は、従来周知の技術であるので、ここでは詳細な説明を省略する。
【００３７】
音声認識部２４は、受信した広告情報に含まれる曲情報を認識する。具体的には、その曲の例えば一小節分の音階データを取得する。そして、この取得した音階データを、インターフェース部１９を介してインターネット上の音楽サイトに送信することで、後述するように、この音楽サイトから当該音階データの曲情報に関連するアーティスト情報を取得するようになっている。
【００３８】
上記構成において、番組の放送信号はアンテナ６、受信部１１を経て取得される。さらに入力制御部１２で番組の放送信号から映像信号及び音声信号が抽出される。抽出された番組の映像信号及び音声信号はＡ／Ｄ変換部１３、コントローラ１４及びＨＤドライブ１５を経てハードディスクに書き込まれ、記録される。
【００３９】
一方、コントローラ１４は、このような記録動作時において、モード検出部２１により検出される音声信号のモードに基づき、記録中の番組がＣＭ部分である場合（ステレオモードである場合）にはそのＣＭ部分の映像信号及び音声信号を出力してハードディスクのＣＭ記録領域に書き込み、記録中の番組が本編部分である場合（モノラルモードである場合）にはその本編部分の映像信号及び音声信号を出力してハードディスクの本編記録領域に書き込むようになっている。
【００４０】
以上が、本実施形態のＨＤレコーダ１の基本的な構成及びコントローラ１４の記録動作であるが、本発明では、上記記録動作時におけるＣＭ部分の記録動作に特徴を有している。以下、ＣＭ部分の記録動作について、具体的に実施例を挙げて説明する。
【実施例１】
【００４１】
本実施例１は、本実施形態のＨＤレコーダ１の最も基本的な特徴部分の記録動作の実施例である。以下、図２に示すフローチャートを参照して本実施例１の記録動作を説明する。
【００４２】
放送番組の記録動作を開始すると、モード検出部２１は、入力制御部１２で抽出された現在受信中の放送番組の放送モードを検出し、その検出信号をコントローラ１４に出力する（ステップＳ１）。
【００４３】
コントローラ１４は、この検出信号に基づき、現在記録中の放送番組の放送モード、すなわち音声信号がステレオ信号であるのかモノラル信号であるのかを判別する（ステップＳ２）。その結果、音声信号がモノラル信号である場合（ステップＳ２でＮｏと判断された場合）には、記録中の番組が本編部分であると判断し、その本編部分の映像信号及び音声信号をそのまま出力してハードディスクの本編記録領域に記録する（ステップＳ３）。
【００４４】
一方、ステップＳ２での判断の結果、音声信号がステレオ信号である場合（Ｙｅｓと判断された場合）には、記録中の番組がＣＭ部分であると判断する。そして、この場合には、そのＣＭ部分を一旦メモリ部２０に格納し（ステップＳ４）、この格納したＣＭと、ハードディスクのＣＭ記録領域に記録されているＣＭ（記録済みＣＭ）とを比較する（ステップＳ５，ステップＳ６）。ここでの比較は、例えばＣＭの数秒間の音声データを比較し、その音声データが一致するか否か、すなわち、一致する音声データが記録済みのＣＭの中にあるか否かで判断する。
【００４５】
その結果、今回受信したメモリ部２０に格納されているＣＭが記録済みのＣＭのどれにも一致しない場合（ステップＳ６でＮｏと判断された場合）には、今回受信したＣＭはハードディスクにまだ記録されていない新しいＣＭであるので、メモリ部２０に格納されているＣＭの映像信号及び音声信号をそのまま出力してハードディスクのＣＭ記録領域に記録する（ステップＳ７）。
【００４６】
一方、今回受信したメモリ部２０に格納されているＣＭが記録済みのＣＭのどれかに一致する場合（ステップＳ６でＹｅｓと判断された場合）には、同じＣＭの重複記録を避けるため、メモリ部２０に一旦格納されていたＣＭのデータを消去する（ステップＳ８）。
【００４７】
コントローラ１４では、上記ステップＳ１〜ステップＳ８の処理を、記録動作を終了するまで（ステップＳ９でＹｅｓと判断されるまで）、繰り返す。これにより、ハードディスクには、本編部分とＣＭ部分とが区別した状態で、各領域にそれぞれ記録されることになる。このとき、ハードディスクのＣＭ記録領域については、同じＣＭが重複して記録されないことから、メモリ容量を節約することができる。
【実施例２】
【００４８】
本実施例２は、ＣＭに登場している人物を指定することにより、その人物が登場しているＣＭのみをハードディスクのＣＭ記録領域に記録するようにした実施例である。以下、図３に示すフローチャートを参照して説明する。
【００４９】
ここで、人物の指定方法としては、まず、上記実施例１のような基本的な記録動作等によって所望するＣＭをハードディスクのＣＭ記録領域に記録し、その記録したＣＭを再生する。そして、その再生画像を図示しない出力装置のモニタ画面で確認し、所望する人物が登場すると、例えばリモコン等の入力部１８を操作して、その画像を一時停止状態とし、その停止状態の画像上で、人物の顔画像の領域を指定する。例えば、画面上のカーソルを動かして顔部分を○で囲むことにより、顔画像の領域を指定することが可能である。または、カーソルで顔の中心部を指定することで、その指定箇所を中心に一定範囲を自動的に抽出することにより、顔画像の領域を指定することも可能である。
【００５０】
このリモコン操作により、画像認識部２３では指定された領域の顔画像から顔の特徴量を抽出し、これを指定人物の特徴量データとして図示しない内部メモリ等に保存する。そして、このようにして人物を指定した状態で、ＣＭ記録動作を開始する。
【００５１】
すなわち、放送番組の記録動作を開始すると、モード検出部２１は、入力制御部１２で抽出された現在受信中の放送番組の放送モードを検出し、その検出信号をコントローラ１４に出力する（ステップＳ１１）。
【００５２】
コントローラ１４は、この検出信号に基づき、現在記録中の放送番組の放送モード、すなわち音声信号がステレオ信号であるのかモノラル信号であるのかを判別する（ステップＳ１２）。その結果、音声信号がモノラル信号である場合（ステップＳ１２でＮｏと判断された場合）には、記録中の番組が本編部分であると判断し、その本編部分の映像信号及び音声信号をそのまま出力してハードディスクの本編記録領域に記録する（ステップＳ１３）。
【００５３】
一方、ステップＳ１２での判断の結果、音声信号がステレオ信号である場合（Ｙｅｓと判断された場合）には、記録中の番組がＣＭ部分であると判断する。そして、この場合には、そのＣＭ部分を一旦メモリ部２０に格納する（ステップＳ１４）。この後、コントローラ１４はメモリ部２０に格納しているＣＭを再生するとともに（ステップＳ１５）、画像認識部２３はその再生画像から登場人物の顔画像を認識し、その認識した顔画像から特徴量を抽出して（ステップＳ１６）、その抽出した特徴量と予め内部メモリに格納しておいた特徴量とを比較することで、登場人物の一致、不一致を判断する（ステップＳ１７）。
【００５４】
その結果、特徴量が一致しない場合（ステップＳ１７でＮｏと判断された場合）には、次のステップＳ１８において再生動作が終了しているか判断し、終了していなければステップＳ１６に戻って、再生画像からの登場人物の顔画像認識を継続する。一方、ステップＳ１８において再生動作が終了している場合には、ステップＳ２２へと動作を進め、メモリ部２０に一旦格納されていたＣＭのデータを消去する。
【００５５】
一方、特徴量が一致した場合（ステップＳ１７でＹｅｓと判断された場合）には、次にステップＳ１９へと動作を進め、メモリ部２０に格納されているＣＭと、ハードディスクのＣＭ記録領域に記録されているＣＭ（記録済みＣＭ）とを比較する（ステップＳ１９，ステップＳ２０）。ここでの比較は、例えばＣＭの数秒間の音声データを比較し、その音声データが一致するか否か、すなわち、一致する音声データが記録済みのＣＭの中にあるか否かで判断する。
【００５６】
その結果、今回受信したメモリ部２０に格納されているＣＭが記録済みのＣＭのどれにも一致しない場合（ステップＳ２０でＮｏと判断された場合）には、今回受信したＣＭはハードディスクにまだ記録されていない新しいＣＭであるので、メモリ部２０に格納されているＣＭの映像信号及び音声信号をそのまま出力し、ハードディスクのＣＭ記録領域に指定された人物と関連付けて記録する（ステップＳ２１）。
【００５７】
一方、今回受信したメモリ部２０に格納されているＣＭが記録済みのＣＭのどれかに一致する場合（ステップＳ２０でＹｅｓと判断された場合）には、同じＣＭの重複記録を避けるため、メモリ部２０に一旦格納されていたＣＭのデータを消去する（ステップＳ２２）。
【００５８】
コントローラ１４では、上記ステップＳ１１〜ステップＳ２２の処理を、記録動作を終了するまで（ステップＳ２３でＹｅｓと判断されるまで）、繰り返す。これにより、ハードディスクには、本編部分とＣＭ部分とが区別した状態で、各領域にそれぞれ記録されるとともに、ＣＭ部分については、指定した人物のＣＭのみがひとまとめにして記録されることになる。
【実施例３】
【００５９】
本実施例３は、ＣＭに含まれる曲を指定することにより、その曲を歌っているアーティストを指定し、そのアーティストが歌っている全曲を含むＣＭのみをハードディスクのＣＭ記録領域に記録するようにした実施例である。以下、図４に示すフローチャートを参照して説明する。
【００６０】
ここで、まず、曲の指定によるアーティストの指定方法について説明する。
【００６１】
上記実施例１のような基本的な記録動作等によって所望するＣＭをハードディスクのＣＭ記録領域に記録し、その記録したＣＭを再生する。そして、再生中に曲が流れると、例えばリモコン等の入力部１８を操作して、その曲を指定する。このリモコン操作により、音声認識部２４は、指定された曲の例えば一小節分の音階データを取得する。そして、この取得した音階データを、インターフェース部１９を介してインターネット上の音楽サイトに送信することで、この音楽サイトから当該音階データの曲を歌っているアーティスト情報を取得する。近時の音楽サイトでは、このような音階データ等からその曲の曲名や作曲者名、歌手名等のアーティスト名を検索してユーザに提供するサービスを行っているサイトがあるが、本実施例３では、このような音楽サイトを利用している。そして、このようにして取得したアーティスト名を音声認識部２４の図示しない内部メモリ等に保存する。そして、このようにして曲の指定によるアーティストの指定を行った状態で、ＣＭ記録動作を開始する。
【００６２】
すなわち、放送番組の記録動作を開始すると、モード検出部２１は、入力制御部１２で抽出された現在受信中の放送番組の放送モードを検出し、その検出信号をコントローラ１４に出力する（ステップＳ３１）。
【００６３】
コントローラ１４は、この検出信号に基づき、現在記録中の放送番組の放送モード、すなわち音声信号がステレオ信号であるのかモノラル信号であるのかを判別する（ステップＳ３２）。その結果、音声信号がモノラル信号である場合（ステップＳ３２でＮｏと判断された場合）には、記録中の番組が本編部分であると判断し、その本編部分の映像信号及び音声信号をそのまま出力してハードディスクの本編記録領域に記録する（ステップＳ３３）。
【００６４】
一方、ステップＳ３２での判断の結果、音声信号がステレオ信号である場合（Ｙｅｓと判断された場合）には、記録中の番組がＣＭ部分であると判断する。そして、この場合には、そのＣＭ部分を一旦メモリ部２０に格納する（ステップＳ３４）。この後、コントローラ１４はメモリ部２０に格納しているＣＭを再生するとともに（ステップＳ３５）、音声認識部２４はその再生中の音声信号から曲を認識すると、上記のアーティストの指定方法と同様にして、その認識した曲の一小節分の音階データを、インターフェース部１９を介してインターネット上の音楽サイトに送信することで、この音楽サイトから当該音階データの曲を歌っているアーティスト情報を取得する（ステップＳ３６）。そして、その取得したアーティスト名と予め内部メモリに格納しておいたアーティスト名とを比較する（ステップＳ３７）。
【００６５】
その結果、アーティスト名が一致しない場合（ステップＳ３７でＮｏと判断された場合）には、次のステップＳ３８において再生動作が終了しているか判断し、終了していなければステップＳ３６に戻って、曲からのアーティスト名の取得を継続する。一方、ステップＳ３８において再生動作が終了している場合には、ステップＳ４２へと動作を進め、メモリ部２０に一旦格納されていたＣＭのデータを消去する。
【００６６】
一方、アーティスト名が一致した場合（ステップＳ３７でＹｅｓと判断された場合）には、次にステップＳ３９へと動作を進め、メモリ部２０に格納されているＣＭと、ハードディスクのＣＭ記録領域に記録されているＣＭ（記録済みＣＭ）とを比較する（ステップＳ３９，ステップＳ４０）。ここでの比較は、例えばＣＭの数秒間の音声データを比較し、その音声データが一致するか否か、すなわち、一致する音声データが記録済みのＣＭの中にあるか否かで判断する。
【００６７】
その結果、今回受信したメモリ部２０に格納されているＣＭが記録済みのＣＭのどれにも一致しない場合（ステップＳ４０でＮｏと判断された場合）には、今回受信したＣＭはハードディスクにまだ記録されていない新しいＣＭであるので、メモリ部２０に格納されているＣＭの映像信号及び音声信号をそのまま出力し、ハードディスクのＣＭ記録領域に指定されたアーティスト名と関連付けて記録する（ステップＳ４１）。
【００６８】
一方、今回受信したメモリ部２０に格納されているＣＭが記録済みのＣＭのどれかに一致する場合（ステップＳ４０でＹｅｓと判断された場合）には、同じＣＭの重複記録を避けるため、メモリ部２０に一旦格納されていたＣＭのデータを消去する（ステップＳ４２）。
【００６９】
コントローラ１４では、上記ステップＳ３１〜ステップＳ４２の処理を、記録動作を終了するまで（ステップＳ４３でＹｅｓと判断されるまで）、繰り返す。これにより、ハードディスクには、本編部分とＣＭ部分とが区別した状態で、各領域にそれぞれ記録されるとともに、ＣＭ部分については、指定したアーティストが歌っている曲を含むＣＭのみがひとまとめにして記録されることになる。
【実施例４】
【００７０】
本実施例４は、ＣＭに含まれる曲またはその曲を歌っているアーティストを直接指定することにより、そのアーティストが歌っている全曲を含むＣＭのみをハードディスクのＣＭ記録領域に記録するようにした実施例である。以下、図５に示すフローチャートを参照して説明する。
【００７１】
ここで、まず、曲の指定によるアーティストの指定方法について説明する。
【００７２】
すなわち、上記実施例３では、曲の指定によるアーティストの指定方法として、インターネット上の音楽サイトからアーティスト名を取得して指定する方法を用いているが、例えばデジタル放送では、その放送信号にＥＰＧ情報が含まれているので、このＥＰＧ情報をＥＰＧ抽出部２２で抽出し、コントローラ１４側で参照することで、ＣＭに含まれている曲のアーティスト名を直接取得することも可能である。すなわち、ＥＰＧ情報には、放送日、番組開始時間、番組終了時間、チャンネル等をはじめ、番組のタイトル名、登場人物、音楽情報、アーティスト名等の各種番組データが含まれている。従って、このようなデータを、番組の本編部分だけでなくＣＭ部分についても用意することで、ＥＰＧ情報からそのＣＭに含まれる曲のアーティストを直接取得することが可能である。従って、本実施例４では、ＥＰＧ情報を利用してアーティストを直接指定することとする。そして、このようにして指定したアーティスト名をコントローラ１４のＲＡＭ１４ｂ等に保存する。そして、このようにしてアーティストを指定した状態で、ＣＭ記録動作を開始する。
【００７３】
すなわち、放送番組の記録動作を開始すると、モード検出部２１は、入力制御部１２で抽出された現在受信中の放送番組の放送モードを検出し、その検出信号をコントローラ１４に出力する（ステップＳ５１）。
【００７４】
コントローラ１４は、この検出信号に基づき、現在記録中の放送番組の放送モード、すなわち音声信号がステレオ信号であるのかモノラル信号であるのかを判別する（ステップＳ５２）。その結果、音声信号がモノラル信号である場合（ステップＳ５２でＮｏと判断された場合）には、記録中の番組が本編部分であると判断し、その本編部分の映像信号及び音声信号をそのまま出力してハードディスクの本編記録領域に記録する（ステップＳ５３）。
【００７５】
一方、ステップＳ５２での判断の結果、音声信号がステレオ信号である場合（Ｙｅｓと判断された場合）には、記録中の番組がＣＭ部分であると判断する。そして、この場合には、そのＣＭ部分を一旦メモリ部２０に格納する（ステップＳ５４）。この後、コントローラ１４は、ＥＰＧ抽出部２２により抽出されたＥＰＧ情報を参照し、メモリ部２０に格納されているＣＭに含まれる曲のアーティスト名が、ＲＡＭ１４ｂに保存されているアーティスト名と同じであるか否かを判断する（ステップＳ５５）。
【００７６】
その結果、アーティスト名が一致しない場合（ステップＳ５５でＮｏと判断された場合）には、次のステップＳ５６において、メモリ部２０に一旦格納されていたＣＭのデータを消去する。
【００７７】
一方、アーティスト名が一致した場合（ステップＳ５５でＹｅｓと判断された場合）には、次にステップＳ５７へと動作を進め、メモリ部２０に格納されているＣＭと、ハードディスクのＣＭ記録領域に記録されているＣＭ（記録済みＣＭ）とを比較する（ステップＳ５７，ステップＳ５８）。ここでの比較は、例えばＣＭの数秒間の音声データを比較し、その音声データが一致するか否か、すなわち、一致する音声データが記録済みのＣＭの中にあるか否かで判断する。
【００７８】
その結果、今回受信したメモリ部２０に格納されているＣＭが記録済みのＣＭのどれにも一致しない場合（ステップＳ５８でＮｏと判断された場合）には、今回受信したＣＭはハードディスクにまだ記録されていない新しいＣＭであるので、メモリ部２０に格納されているＣＭの映像信号及び音声信号をそのまま出力し、ハードディスクのＣＭ記録領域に指定されたアーティスト名と関連付けて記録する（ステップＳ５９）。
【００７９】
一方、今回受信したメモリ部２０に格納されているＣＭが記録済みのＣＭのどれかに一致する場合（ステップＳ５８でＹｅｓと判断された場合）には、同じＣＭの重複記録を避けるため、メモリ部２０に一旦格納されていたＣＭのデータを消去する（ステップＳ５６）。
【００８０】
コントローラ１４では、上記ステップＳ５１〜ステップＳ５９の処理を、記録動作を終了するまで（ステップＳ６０でＹｅｓと判断されるまで）、繰り返す。これにより、ハードディスクには、本編部分とＣＭ部分とが区別した状態で、各領域にそれぞれ記録されるとともに、ＣＭ部分については、指定したアーティストの全曲を含むＣＭのみがひとまとめにして記録されることになる。
【実施例５】
【００８１】
本実施例５は、ＣＭの広告対象物を指定することにより、その広告対象物を含むＣＭのみをハードディスクのＣＭ記録領域に記録するようにした実施例である。以下、図６に示すフローチャートを参照して説明する。
【００８２】
ここで、まず、広告対象物の指定方法について説明する。
【００８３】
デジタル放送では、その放送信号にＥＰＧ情報が含まれているので、このＥＰＧ情報をＥＰＧ抽出部２２で抽出し、コントローラ１４側で参照することで、ＣＭの広告対象物名を直接取得することが可能である。すなわち、ＥＰＧ情報には、放送日、番組開始時間、番組終了時間、チャンネル等をはじめ、番組のタイトル名、登場人物、音楽情報、アーティスト名等の各種番組データが含まれている。従って、ＣＭについてもその広告対象物名等のデータをＥＰＧ情報に含めておくことで、ＥＰＧ情報からそのＣＭの広告対象物名を直接指定し、または取得することが可能となる。従って、本実施例５では、ＥＰＧ情報を利用して広告対象物を指定することとする。そして、このようにして指定した広告対象物名をコントローラ１４のＲＡＭ１４ｂ等に保存する。そして、このようにして広告対象物を指定した状態で、ＣＭ記録動作を開始する。
【００８４】
すなわち、放送番組の記録動作を開始すると、モード検出部２１は、入力制御部１２で抽出された現在受信中の放送番組の放送モードを検出し、その検出信号をコントローラ１４に出力する（ステップＳ７１）。
【００８５】
コントローラ１４は、この検出信号に基づき、現在記録中の放送番組の放送モード、すなわち音声信号がステレオ信号であるのかモノラル信号であるのかを判別する（ステップＳ７２）。その結果、音声信号がモノラル信号である場合（ステップＳ７２でＮｏと判断された場合）には、記録中の番組が本編部分であると判断し、その本編部分の映像信号及び音声信号をそのまま出力してハードディスクの本編記録領域に記録する（ステップＳ７３）。
【００８６】
一方、ステップＳ７２での判断の結果、音声信号がステレオ信号である場合（Ｙｅｓと判断された場合）には、記録中の番組がＣＭ部分であると判断する。そして、この場合には、そのＣＭ部分を一旦メモリ部２０に格納する（ステップＳ７４）。この後、コントローラ１４は、ＥＰＧ抽出部２２により抽出されたＥＰＧ情報を参照し、メモリ部２０に格納されているＣＭの広告対象物が、ＲＡＭ１４ｂに保存されている広告対象物と同じであるか否かを判断する（ステップＳ７５）。
【００８７】
その結果、広告対象物が一致しない場合（ステップＳ７５でＮｏと判断された場合）には、次のステップＳ７６において、メモリ部２０に一旦格納されていたＣＭのデータを消去する。
【００８８】
一方、広告対象物が一致した場合（ステップＳ７５でＹｅｓと判断された場合）には、次にステップＳ７７へと動作を進め、メモリ部２０に格納されているＣＭと、ハードディスクのＣＭ記録領域に記録されているＣＭ（記録済みＣＭ）とを比較する（ステップＳ７７，ステップＳ７８）。ここでの比較は、例えばＣＭの数秒間の音声データを比較し、その音声データが一致するか否か、すなわち、一致する音声データが記録済みのＣＭの中にあるか否かで判断する。
【００８９】
その結果、今回受信したメモリ部２０に格納されているＣＭが記録済みのＣＭのどれにも一致しない場合（ステップＳ７８でＮｏと判断された場合）には、今回受信したＣＭはハードディスクにまだ記録されていない新しいＣＭであるので、メモリ部２０に格納されているＣＭの映像信号及び音声信号をそのまま出力し、ハードディスクのＣＭ記録領域に指定された広告対象物と関連付けて書き込む（ステップＳ７９）。
【００９０】
一方、今回受信したメモリ部２０に格納されているＣＭが記録済みのＣＭのどれかに一致する場合（ステップＳ７８でＹｅｓと判断された場合）には、同じＣＭの重複記録を避けるため、メモリ部２０に一旦格納されていたＣＭのデータを消去する（ステップＳ７６）。
【００９１】
コントローラ１４では、上記ステップＳ７１〜ステップＳ７９の処理を、記録動作を終了するまで（ステップＳ８０でＹｅｓと判断されるまで）、繰り返す。これにより、ハードディスクには、本編部分とＣＭ部分とが区別した状態で、各領域にそれぞれ記録されるとともに、ＣＭ部分については、指定した広告対象物のＣＭのみがひとまとめにして記録されることになる。
【実施例６】
【００９２】
本実施例６は、上記実施例１〜５のようにしてハードディスクに記録したＣＭを再生するときの再生動作の実施例である。
【００９３】
再生時には、例えばリモコン等の入力部１８を操作して、ハードディスクに記録されたＣＭの再生を指示する。この場合、単にＣＭ再生のみを指示した場合には、ハードディスクのＣＭ記録領域に記録されているＣＭが順次再生されることになる。また、種類を指定してＣＭ再生を指示した場合には、その種類のＣＭのみが順次再生されることになる。例えば、人物を指定して再生を指示した場合には、上記実施例２のようにしてハードディスクに記録されたその人物に関連したＣＭが順次再生されることになる。また、アーティストを指定して再生を指示した場合には、上記実施例３または実施例４のようにしてハードディスクに記録されたそのアーティストに関連したＣＭが順次再生されることになる。まあ、広告対象物を指定して再生を指示した場合には、上記実施例５のようにしてハードディスクに記録されたその広告対象物に関連したＣＭが順次再生されることになる。
【００９４】
ここで、上記の指定方法としては、例えばリモコン等を操作してモニタにメニュー画面を表示し、そのメニュー画面からＣＭ再生の項目を選択し、さらにＣＭ再生の種類選択画面から再生するＣＭの種類（人物、アーティスト、広告対象物等）を選択することで、ＣＭの種類を指定するようにしてもよい。また、このようなメニュー画面からの選択ではなく、リモコン等にＣＭ再生ボタンや、種類の選択ボタンを設けておき、これらのボタンを直接操作することでＣＭ再生の種類を指定するようにしてもよい。
【実施例７】
【００９５】
本実施例７は、上記実施例１〜５のようにしてハードディスクに記録したＣＭをスクリーンセーバとして使用する実施例である。
【００９６】
すなわち、リモコン等からハードディスクに記録したＣＭをスクリーンセーバとして使用する指示が入力されると、コントローラ１４は、スクリーンセーバとしてＣＭを使用することを内部に設定する。そして、放送信号の受信時に、モード検出部２１によって放送信号のモードが検出されなくなると、コントローラ１４は放送信号が無い無信号状態であると判断し、その数分後に電源を自動的にオフするまでの間、ハードディスクに記録しておいたＣＭをスクリーンセーバとして再生する。これにより、モニタ画面の焼き付き等が防止されることになる。
【００９７】
また、スクリーンセーバとしての使用は、このような放送信号の無信号状態の場合だけでなく、例えば、放送信号の記録動作中に、ハードディスクに記録しておいたＣＭをスクリーンセーバとして再生するようにしてもよい。
【図面の簡単な説明】
【００９８】
【図１】本発明の広告情報処理装置の一実施形態であるＨＤレコーダの電気的構成を示すブロック図である。
【図２】実施例１の記録動作を示すフローチャートである。
【図３】実施例２の記録動作を示すフローチャートである。
【図４】実施例３の記録動作を示すフローチャートである。
【図５】実施例４の記録動作を示すフローチャートである。
【図６】実施例５の記録動作を示すフローチャートである。
【符号の説明】
【００９９】
１  ＨＤレコーダ
１１  受診部
１２  入力制御部
１３  Ａ／Ｄ変換部
１４  コントローラ
１４ａ  ＣＰＵ
１４ｂ  ＲＡＭ
１４ｃ  ＲＯＭ
１５  ＨＤドライブ
１６  Ｄ／Ａ変換部
１７  出力制御部
１８  入力部
１９  ＩＦ部
２０  メモリ部
２１  モード検出部
２２  ＥＰＧ抽出部
２３  画像認識部
２４  音声認識部
【図１】
2007081899.tif 000003
【図２】
2007081899.tif 000004
【図３】
2007081899.tif 000005
【図４】
2007081899.tif 000006
【図５】
2007081899.tif 000007
【図６】
2007081899.tif 000008